【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】
マルチチャネル伝送における送信ビットレートをとぎれなく変更する方法であって、前記方法は、
おのおのがフォワードエラー訂正用の特定数のパリティビットを含み、特定のコードワードサイズを有する複数のコードワードを提供するステップ；
キャリアサブチャネルに対し、コードワードを第一送信ビットレートで送信するための第一の割り当てテーブルを用いて第一の複数コードワードのビットを割り当てるステップ；
前記第一の複数コードワードを第一送信ビットレートで送信するステップ；
キャリアサブチャネルに対し、コードワードを第二送信ビットレートで送信するための第二の割り当てテーブルを用いて第二の複数コードワードのビットを割り当てるステップ；および
前記第二の複数コードワードを送ることにより、送信を前記第一送信ビットレートから前記第二送信ビットレートへと変更するステップ；を備えており、
前記第一の複数コードワードのおのおのを送信する際に用いられる前記特定のコードワードサイズおよびフォワードエラー訂正用の前記特定数のパリテイービットは、送信ビットレートをとぎれなく変更させるため、前記第二の複数コードワードのおのおのを送信する際に用いられること、
を特徴とする方法。
【請求項２】
請求項１の方法において、前記方法は、さらに、特定のインターリーブパラメータに基づいて前記第一および前記第二の複数コードワードをインターリーブするステップを備え、前記第一の複数コードワードをインターリーブするために用いられる前記特定のインターリーブパラメータは、前記第二の複数コードワードをインターリーブするために用いられる前記特定インターリーブパラメータと同じであること、
を特徴とする方法。
【請求項３】
請求項１の方法において、前記第一送信ビットレートで送信するステップは、第一のビット割り当てテーブルによって決定されるような第一のＤＭＴシンボルに第一のビット数を割り当てるステップを備え；前記第二送信ビットレートで送信するステップは、第二のビット割り当てテーブルによって決定されるような第二のＤＭＴシンボルに第二のビット数を割り当てるステップを備えたこと、
を特徴とする方法。
【請求項４】
請求項３の方法において、第一および第二送信レートで送信されたＤＭＴシンボル用のパリティビット率の平均値は実質的に一定であり、パリティビット率は、ＤＭＴシンボルにおけるパリティビットの数を、そのＤＭＴシンボルに用いられるビット割り当てテーブル内のビット総数で割ったものであること、
を特徴とする方法。
【請求項５】
マルチチャネル伝送における送信ビットレートをとぎれなく変更する方法であって、前記方法は、
おのおのがフォワードエラー訂正用の特定数のパリティビットを含み、コードワードサイズを有する複数のコードワードを提供するステップ；
第一受信ビットレートでキャリアサブチャネルから第一の複数コードワードを受信するステップ； 
第一の割り当てテーブルを用いて、前記第一の複数コードワードのビットを復調するステップ；
受信を前記第一受信ビットレートから前記第二受信ビットレートへと変更するステップ；
第二の受信ビットレートでキャリアサブチャネルから第二の複数コードワードを受信するステップ；
第二の割り当てテーブルを用いて、第二の複数コードワードのビットを復調するステップ；を備えており、
前記第一の複数コードワードのおのおのを復調する際に用いられる前記特定のインターリーブパラメータ、前記特定のコードワードサイズ、およびフォワードエラー訂正用の前記特定数のパリテイービットは、受信ビットレートをとぎれなく変更させるため、前記第二の複数コードワードのおのおのを復調する際に用いられること、
を特徴とする方法。
【請求項６】
請求項５の方法において、前記方法は、さらに、特定のデインターリーブパラメータに基づき前記第一および前記第二の複数コードワードをデインターリーブするステップを備えており、
前記第一の複数コードワードをデインターリーブするために用いられる前記特定のデインターリーブパラメータは、前記第二の複数コードワードをデインターリーブするために用いられる前記特定デインターリーブパラメータと同じであること、
を特徴とする方法。
【請求項７】
請求項６の方法において、第一および第二受信レートで受信されたＤＭＴシンボル用のパリティビット率の平均値は実質的に一定であり、パリティビット率は、ＤＭＴシンボルにおけるパリティビットの数を、そのＤＭＴシンボルに用いられるビット割り当てテーブル内のビット総数で割ったものであること、
を特徴とする方法。
【請求項８】
マルチキャリア通信システムにおいて送信レートをとぎれなく変更する方法であって、前記方法は、
(i)特定のコードワードサイズを有するとともに、(ii)フォワードエラー訂正用の特定数のパリティビットを含む複数のコードワードを提供するステップ；
第一の複数コードワードを第一の送信ビットレートで送信するステップ；
前記第一の送信ビットレートを第二の送信ビットレートに変更するステップ；および
第二の複数コードワードを前記第二の送信ビットレートで送信するステップ；を備えており、
前記第一の複数コードワードに用いられるフォワードエラー訂正用の前記特定のコードワードサイズおよび前記特定数のパリテイービットは、送信ビットレートをとぎれ無く変更するため前記第二の複数コードワード用に使用されること、
を特徴とする方法。
【請求項９】
マルチキャリア通信システムにおいて受信レートをとぎれなく変更する方法であって、前記方法は、
(i)特定のコードワードサイズを有するとともに、(ii)フォワードエラー訂正用の特定数のパリティビットを含む複数のコードワードを提供するステップ；
第一の割り当てテーブルを用いて、第一の複数コードワードのビットを第一受信ビットレートで受信するステップ；
第二の割り当てテーブルを用いて、前記第一受信ビットレートを第二受信ビットレートに変更するステップ；および
第二の複数コードワードのビットを前記第二受信ビットレートで受信するステップ；を備えており、
前記第一の複数コードワードに用いられる前記特定のコードワードサイズおよびフォワードエラー訂正用の前記特定数のパリテイービットは、前記第二の複数コードワードのために用いられ、前記第一の割り当てテーブル内のビット数は、受信レートをとぎれなく変更するため、前記第二の割り当てテーブル内のビット数と異なること、
を特徴とする方法。
【請求項１０】
送信ビットレートをとぎれなく変更することのできるマルチチャネルトランシーバであって、
おのおのがフォワードエラー訂正用の特定数のパリティビットを含み、特定のコードワードサイズを有する複数のコードワードを提供する手段；
キャリアサブチャネルに対し、コードワードを第一送信ビットレートで送信するための第一の割り当てテーブルを用いて第一の複数コードワードのビットを割り当てる手段；
前記第一の複数コードワードを第一送信ビットレートで送信するステップ；
キャリアサブチャネルに対し、コードワードを第二送信ビットレートで送信するための第二の割り当てテーブルを用いて第二の複数コードワードのビットを割り当てる手段；および
前記第二の複数コードワードを送ることにより、送信を前記第一送信ビットレートから前記第二送信ビットレートへと変更する手段；を備えており、
前記第一の複数コードワードのおのおのを送信する際に用いられる前記特定のコードワードサイズおよびフォワードエラー訂正用の前記特定数のパリテイービットは、送信ビットレートをとぎれなく変更させるため、前記第二の複数コードワードのおのおのを送信する際に用いられること、
を特徴とするマルチチャネルトランシーバ。
【請求項１１】
請求項１０のマルチチャネルトランシーバにおいて、特定のインターリーブパラメータに基づいて前記第一および前記第二の複数コードワードをインターリーブする手段をさらにを備え、前記第一の複数コードワードをインターリーブするために用いられる前記特定のインターリーブパラメータは、前記第二の複数コードワードをインターリーブするために用いられる前記特定インターリーブパラメータと同じであること、
を特徴とするマルチチャネルトランシーバ。
【請求項１２】
請求項１０のマルチチャネルトランシーバにおいて、前記第一送信ビットレートで送信する手段は、第一のビット割り当てテーブルによって決定されるような第一のＤＭＴシンボルに第一のビット数を割り当てる手段を備え；前記第二送信ビットレートで送信する手段は、第二のビット割り当てテーブルによって決定されるような第二のＤＭＴシンボルに第二のビット数を割り当てる手段を備えたこと、
を特徴とするマルチチャネルトランシーバ。
【請求項１３】
請求項１２のマルチチャネルトランシーバにおいて、第一および第二送信レートで送信されたＤＭＴシンボル用のパリティビット率の平均値は実質的に一定であり、パリティビット率は、ＤＭＴシンボルにおけるパリティビットの数を、そのＤＭＴシンボルに用いられるビット割り当てテーブル内のビット総数で割ったものであること、
を特徴とするマルチチャネルトランシーバ。
【請求項１４】
受信ビットレートをとぎれなく変更することのできるマルチチャネルトランシーバであって、
おのおのがフォワードエラー訂正用の特定数のパリティビットを含み、コードワードサイズを有する複数のコードワードを提供する手段；
第一受信ビットレートでキャリアサブチャネルから第一の複数コードワードを受信する手段； 
第一の割り当てテーブルを用いて、前記第一の複数コードワードのビットを復調する手段；
受信を前記第一受信ビットレートから前記第二受信ビットレートへと変更する手段；
第二の受信ビットレートでキャリアサブチャネルから第二の複数コードワードを受信する手段；
第二の割り当てテーブルを用いて、第二の複数コードワードのビットを復調する手段；を備えており、
前記第一の複数コードワードのおのおのを復調する際に用いられる前記特定のインターリーブパラメータ、前記特定のコードワードサイズ、およびフォワードエラー訂正用の前記特定数のパリテイービットは、受信ビットレートをとぎれなく変更させるため、前記第二の複数コードワードのおのおのを復調する際に用いられること、
を特徴とするマルチチャネルトランシーバ。
【請求項１５】
請求項１４のマルチチャネルトランシーバにおいて、特定のデインターリーブパラメータに基づき前記第一および前記第二の複数コードワードをデインターリーブする手段をさらに備えており、
前記第一の複数コードワードをデインターリーブするために用いられる前記特定のデインターリーブパラメータは、前記第二の複数コードワードをデインターリーブするために用いられる前記特定デインターリーブパラメータと同じであること、
を特徴とするマルチチャネルトランシーバ。
【請求項１６】
請求項１５のマルチチャネルトランシーバにおいて、第一および第二受信レートで受信されたＤＭＴシンボル用のパリティビット率の平均値は実質的に一定であり、パリティビット率は、ＤＭＴシンボルにおけるパリティビットの数を、そのＤＭＴシンボルに用いられるビット割り当てテーブル内のビット総数で割ったものであること、
を特徴とするマルチチャネルトランシーバ。
【請求項１７】
送信レートをとぎれなく変更することのできるマルチチャネルトランシーバであって、
(i)特定のコードワードサイズを有するとともに、(ii)フォワードエラー訂正用の特定数のパリティビットを含む複数のコードワードを提供する手段；
第一の複数コードワードを第一の送信ビットレートで送信する手段；
前記第一の送信ビットレートを第二の送信ビットレートに変更する手段；および
第二の複数コードワードを前記第二の送信ビットレートで送信する手段；を備えており、
前記第一の複数コードワードに用いられるフォワードエラー訂正用の前記特定のコードワードサイズおよび前記特定数のパリテイービットは、送信ビットレートをとぎれ無く変更するため前記第二の複数コードワード用に使用されること、
を特徴とするマルチチャネルトランシーバ。
【請求項１８】
受信レートをとぎれなく変更することのできるマルチチャネルトランシーバであって、
(i)特定のコードワードサイズを有するとともに、(ii)フォワードエラー訂正用の特定数のパリティビットを含む複数のコードワードを提供する手段；
第一の割り当てテーブルを用いて、第一の複数コードワードのビットを第一受信ビットレートで受信する手段；
第二の割り当てテーブルを用いて、前記第一受信ビットレートを第二受信ビットレートに変更する手段；および
第二の複数コードワードのビットを前記第二受信ビットレートで受信する手段；を備えており、
前記第一の複数コードワードに用いられる前記特定のコードワードサイズおよびフォワードエラー訂正用の前記特定数のパリテイービットは、前記第二の複数コードワードのために用いられ、前記第一の割り当てテーブル内のビット数は、受信レートをとぎれなく変更するため、前記第二の割り当てテーブル内のビット数と異なること、
を特徴とするマルチチャネルトランシーバ。
【手続補正２】
【補正対象書類名】明細書
【補正対象項目名】００２３
【補正方法】変更
【補正の内容】
【００２３】
条件＃３により、データレートが低い場合、大きなコードワード構成を採ることができない。ＡＤＳＬにおけるＲ−Ｓコードワードは、最大２５５ビットを有することが可能となる。コードゲインは、最大の２５５ビット付近になった場合の最大値が得られる。データレートが低い場合、すなわち、１２８ｋｂｐｓ又は４バイトである場合、コードワードサイズの最大値は、Ｇ．９９２．２のシステム用には８ｘ４＝３２バイト、Ｇ．９９２．１およびＴ１．４１３のシステム用には１６ｘ４＝６４となる。この場合、コードゲインは、コードワードが２５５バイトに近づくものよりも実質的に低い。
【手続補正３】
【補正対象書類名】明細書
【補正対象項目名】００２６
【補正方法】変更
【補正の内容】
【００２６】
Ｇ．９９２．１およびＴ１．４１３は、ダイナミックレート適合(DRA)と呼ばれるオンラインレートでの適合メカニズムを規定しているが、これらの規格は、データレートの変更がとぎれなく行われないことを明示している。通常、既存のＡＤＳＬ  ＤＭＴモデムは、チャネル変更へのオンライン適合の方法としてビットスワッピング(bit swapping)およびダイナミックレート適合(DRA)を用いる。ビットスワッピングは、特定の対象(specific)に割り当てられたビットの数を修正する方法としてＩＴＵおよびＡＮＳＩ規格に規定されている。ビットスワッピングは、とぎれがなく、すなわち、この方法はデータの送受信を中断させない。しかし、ビットスワッピングによっては、データレートの変更を行うことができない。ビットスワッピングは、データレートを同じに維持するとともに、キャリアに割り当てられるビット数を変更することしかできない。このことは、ＢＡＴ内のビットの総数（ＮＢＡＴ）を増減させることなしにＢＡＴテーブルの入力項目を変更することと同じことである。
【手続補正４】
【補正対象書類名】明細書
【補正対象項目名】００５９
【補正方法】変更
【補正の内容】
【００５９】
一定の割合のオーバーヘッドによるフレーミング
一つの実施形態においては、ＤＭＴ  ＡＤＳＬシステムにおけるオーバーヘッド（ペイロードではない）データを減少させるフレーミング方法を説明する。図２は、少なくとも一のフレーミングオーバーヘッドバイト２０２、一以上のペイロードバイト２０４および一以上のチェックバイト２０６を含むＡＤＳＬフレームおよびＲ−Ｓコードワードを表すダイアグラム２００を示す。このフレーミング方法は、とぎれのないデータレート適合をも可能にする。上述のように、既存のＡＤＳＬシステムは、ＡＤＳＬフレーム、Ｒ−ＳコードワードおよびＤＭＴシンボルに対して、制限および要求事項を課している。本発明の原理に基づいて構成されたシステムは、ＡＤＳＬフレームおよびＲ−ＳコードワードをＤＭＴシンボルから分離させる。かかる分離によって、システムは、ＤＭＴシンボル毎に小さいオーバーヘッドデータを有し、オンラインでレートの変更をとぎれなく実行できるようになる。本発明の原理によれば、ＡＤＳＬフレームおよびＲ−Ｓコードワードは、同じ長さを有するとともに、位置を合わせる(aligned)よう構成される（図２参照）。かかるＲ−Ｓコードワードは、コーデイングゲインを最大化させるため十分な大きさに作られている。Ｒ−Ｓコードワード（したがって、ＡＤＳＬフレーム）のサイズは、開始時又はあらかじめ設定することができる。ＡＤＳＬフレーム中には、固定値のＲ−Ｓチェックバイトおよびオーバーヘッドフレミングバイトが含まれている。これらのパラメーターも、開始時に又はあらかじめ設定することができる。
【手続補正５】
【補正対象書類名】明細書
【補正対象項目名】００６０
【補正方法】変更
【補正の内容】
【００６０】
従来のＤＭＴシンボルと違い、本発明の原理に基づいて生成されたＤＭＴシンボルは、ＡＤＳＬフレームおよびＲ−Ｓコードワードとは位置が揃っていない。また、ＤＭＴシンボル内のビット数もデータレート要求および構成のみによって決まり、Ｒ−Ｓコードワードのサイズ、インターリーバー深さ、およびＡＤＳＬフレームのサイズとは無関係である。ＤＭＴシンボル内のビット数が、他のフレーミング、コーデイング又はインターリービング制限に関係なくモデムのデータレートを決定する。オーバーヘッドバイトは、ＡＤＳＬフレームレイヤにおいて加えられるので、ＤＭＴシンボルは、固定数のオーバーヘッドバイトを含む必要がない。例えば、１２８ｋｂｐｓのようにデータレートが低くなると、オーバーヘッドバイトも低いままである。特に、このフレーミング方法は、決まった数のオーバーヘッドバイトではなく、決まった割合のオーバーヘッドデータをデータストリームに割り当てる。かかる割合は、モデムのデータレートが変化してもこの割合は変化しない（既存のＡＤＳＬモデムと同様に）。従来の規格に準拠したフレーミング方法の例を以下で考慮してみる。
【手続補正６】
【補正対象書類名】明細書
【補正対象項目名】０１２１
【補正方法】変更
【補正の内容】
【０１２１】
第二の実施形態としては、送信機が、上述の送信機が開始したＦＳＲＡプロトコルのステップ７に直接移行し、低パワーモードへの移行を示す反転同期シンボルを送信する方法がある。受信機は、反転同期を検出し、低パワーモードへ移行する。この場合、ＦＲＳＡ要求が送信機によって送信されていないので、受信機は、ＦＳＲＡ要求なしで受信した同期シンボルが、送信機が低パワーモードに移行しつつあることを示すものとして認識する。送信機および受信機の双方がＢＡＴを用いるよう、低パワーモードＢＡＴが（システムにより予め定義され）、又は識別されて、予め記憶される。第二の実施形態において、ステップ７では、送信機は、送信機と受信機によってＦＳＲＡなしに低パワーモ−ドへ移行するために使用される信号であると予め定義されている信号とは別の信号を送信する。例えば、送信機は、反転（１８０度）した同期シンボルでなく、位相が４５度回転した同期シンボルを送信してもよい。位相を４５度回転させた同期シンボルは、送信機が、反転シンボルの４５度回転後一定フレーム数後に、最初のフレーム上で当該低パワーモードに対応する記憶ＢＡＴを用いて低パワーモードに移行しつつあることを示す。  
第二の実施形態において説明した送信機が開始した低パワーモードへの移行は、移行のために反転チャネルを作る必要がないという利点を有する。反転チャネルは、反対方向の通信チャネルとして定義される、すなわち、ここでは、受信機から送信機にＦＲＳＡメッセージを送るのに用いられる通信チャネルがこれにあたる。反転チャネルは、データ接続なしでも既に低パワーモードなので好都合である。送信データの準備が整っていない場合、送信機は、単に低パワーモ−ドに移行すればよい。ラインを介して信号を送信するのに必要となるために送信機が電力の大部分を消費するので、このことは重要なパワー節約技術である。送信機が開始した低パワーモードへの移行は、”ソフトモデム(soft modem)”（ＰＣホストベース）を実行する場合にも、有用である。ソフトモデムを実行する場合、ホストプロセッサーは、モデムトランシーバー機能および他の多くのＰＣアプリケーションを同時に実行する。ホストプロセッサーが、ＡＤＳＬ送信機の動作を許容しない他のタスクを実行しなければならない場合、当該プロセサーは、反転同期シンボル又は４５度回転させた同期シンボルを送信することにより送信機を速やかに低パワーレートに移行させる。この後、前記他のタスクによりホストプロセッサー資源が使用可能となる。ＡＤＳＬ送信機は、信号をラインに送り出さない（０ｋｂｐｓ）。
【手続補正７】
【補正対象書類名】明細書
【補正対象項目名】０１２３
【補正方法】変更
【補正の内容】
【０１２３】
低パワーモードからの脱出
１．  受信機が開始した低パワーモードからの脱出
ＳＲＡプロトコルによれば、低パワーモ−ドから脱するために受信機が用いることのできるものには、二つの実施形態がある。一つ目の実施形態において、低パワーモードが逆方向において少なくともゆっくりしたデータ接続を未だに有している（低データレートのＬＰＭの）場合、受信機が開始した低パワーモードからの脱出は、受信機が開始したＮＳＲＡ又はＦＳＲＡプロトコルを用いて実行することができる。受信機は、用いられるＢＡＴとともにＳＲＡ要求を送信機に返送可能でなければならないので、このことが必要となる。送信機が低パワーモードにおいて同期シンボルをオフにしなかった場合、上述のように、ＮＳＲＡ又はＦＳＲＡプロトコルが用いられる。送信機が低パワーモード中に同期シンボルをオフにすると、同期シンボルをオンに戻すことにより送信機によって”ＳＲＡ  Ｇｏ”が送信される。受信機は、データレートの変更を同期させるためのフラグとして同期シンボルの存在（反転を伴うか、伴わないか）を検出する。
【手続補正８】
【補正対象書類名】明細書
【補正対象項目名】０１３１
【補正方法】変更
【補正の内容】
【０１３１】
下方のパスは、データストリームのインターリービングを行わないので、レーマー／ＦＥＣレイヤ３２０を通過する新しい下方のパスは、図１のそれに相当する元々ある上方のパスとは違った遅延値を有する。異なる遅延要件を有する異なるアプリケーションビットストリームをＡＤＳＬ  ＤＭＴモデムを介して送るために二重遅延が用いられる。例えば、遅延が大きくてもよいアプリケーション（例えば、ビデオオンデマンド）の場合、上方の遅延の大きいパスを介してインターリービングを伴う送信をしてもよいが、遅延が小さいことが要求されるアプリケーション（例えば、音声）の場合、下方の遅延の小さいパスを介しインターリービングを行わないで送信すべきである。